(57)【特許請求の範囲】
【請求項１】
背面側には賞球としての遊技球を払い出す払出装置が装着され、前面側には前記払い出された遊技球を受け容れる球受皿が装着され、自身は扉状に開閉可能に外枠によって支持される遊技機の中枠であり、該中枠は、その上辺部分を構成する部材（以下、「上辺部材」）、下辺部分を構成する部材（以下、「下辺部材」）、正面から見て左側の縦辺部分を構成する部材（以下、「左縦辺部材」）及び正面から見て右側の縦辺部分を構成する部材（以下、「右縦辺部材」）の４分割構造で、前記上辺部材及び下辺部材はプラスチック製、前記左縦辺部材及び右縦辺部材は金属製とされ、前記４つの分割部分（上辺部材、下辺部材、左縦辺部材及び右縦辺部材）を相互に分離可能に連結する可逆的連結手段を備えている中枠の前記下辺部材の取付面に、
前記球受皿のプラスチック製の背面板である皿支持板（１１０）を、該皿支持板（１１０）の背面側が前記取付面に接触する姿勢で接合させる
際の球受皿の接合構造であって、
前記皿支持板（１１０）の背面に固着された係止体と、
前記下辺部材の取付面に設けられた受穴及び軸穴と、
前記皿支持板（１１０）及び前記下辺部材とは別体のロックピースとから構成され、
前記係止体は、
互いに平行である２つの摺動面を有し、該摺動面を前記皿支持板（１１０）の背面に垂直となる方向に沿わせて配される係合板（１１３ｂ、１１４ｂ）と、
前記皿支持板（１１０）の背面に平行な方向に沿って前記各摺動面から張り出して前記係合板（１１３ｂ、１１４ｂ）に連設された係止板（１１３ａ、１１４ａ）とを備え、
前記受穴は、前記係止板（１１３ａ、１１４ａ）を通過させる長方形部分（５６ａ）及び前記摺動面を摺動させる幅で前記長方形部分（５６ａ）と連通している溝部（５６ｂ）とからなる凸字形状で、前記取付面から背後に貫通して設けられており、
前記軸穴は、軸受孔（５７ａ）と、該軸受孔（５７ａ）の径方向に沿って該軸受孔（５７ａ）に連設された突起通過部（５７ｂ）とからなり、前記取付面から背後に貫通して設けられており、
前記ロックピースは、
前記軸受孔（５７ａ）に整合する寸法の回動軸（１１８ａ）と、
前記突起通過部（５７ｂ）に対応して該回動軸（１１８ａ）から延出された抜止突起（１１８ｂ）と、
前記回動軸（１１８ａ）を中心として互いに反対方向に延出された一対の腕部を含んで構成されて、前記軸穴の長さに相当する間隔を前記抜止突起（１１８ｂ）との間において前記回動軸（１１８ａ）の基部に連設されたロック部（１１８ｃ）とからなり、
前記係止体と前記受穴とは、
前記係止板（１１３ａ、１１４ａ）を前記取付面側から前記長方形部分（５６ａ）に挿通させて前記受穴の背後に至らせてから、前記皿支持板（１１０）を前記取付面に沿って移動させると前記係合板（１１３ｂ、１１４ｂ）が前記摺動面を前記溝部（５６ｂ）の内面に摺動させながら嵌合し、前記係止板（１１３ａ、１１４ａ）が前記下辺部材の背面に摺接し、この状態では前記皿支持板（１１０）の背面側が前記取付面に接触する関係とされ、
前記ロックピースの寸法等は、前記軸穴の前記突起通過部（５７ｂ）に前記抜止突起（１１８ｂ）を合わせて前記下辺部材側から前記皿支持板（１１０）側に向けて前記回動軸（１１８ａ）を挿入すると、前記抜止突起（１１８ｂ）が前記取付面側に達した際に前記ロック部（１１８ｃ）が前記下辺部材に接触し、該ロック部（１１８ｃ）が前記下辺部材に接触した状態で前記ロック部（１１８ｃ）を回動すると前記抜止突起（１１８ｂ）が前記取付面を摺動し、該ロック部（１１８ｃ）の回動位置を選択するといずれかの前記腕部の端面がいずれかの前記係止体に当接して、該係止体の前記係合板（１１３ｂ、１１４ｂ）と前記溝部（５６ｂ）との嵌合の解除を阻止し、前記ロック部（１１８ｃ）を該回動位置にしたときには前記抜止突起（１１８ｂ）の回動位置が前記突起通過部（５７ｂ）から外れた位置になる、設定とされている
ことを特徴とする遊技機における球受皿の接合構造。
【請求項２】
請求項１記載の遊技機における球受皿の接合構造において、
前記外枠に備えられたヒンジ軸と共同してヒンジを構成するヒンジ軸受または前記外枠に備えられたヒンジ軸受と共同してヒンジを構成するヒンジ軸を備えるヒンジ軸部を金属製として、該金属製のヒンジ軸受またはヒンジ軸部を前記左縦辺部材の一部となる一枚の縦板金の上端部及び下端部に固着或いは一連に設け、
上の球受皿の開閉軸または該開閉軸の軸受及び透明板を保持して前記中枠の前記上の球受皿よりも上側部分を覆うガラス扉の開閉軸または該開閉軸の軸受をいずれも金属製として、前記縦板金に固着し、
前記中枠を前記外枠に対して閉じた状態に維持する施錠状態と該中枠を開放可能とする開錠状態とに可変の中枠施錠機構及び前記ガラス扉を閉鎖状態に維持する施錠状態と該ガラス扉を開放可能とする開錠状態とに可変のガラス扉施錠機構をともに金属製として前記右縦辺部材に備えた
ことを特徴とする遊技機における球受皿の接合構造。
【請求項３】
請求項１又は２記載の遊技機における球受皿の接合構造において、
該遊技機は遊技盤を備える弾球遊技機であって、前記中枠は前記遊技盤を保持する部材である
ことを特徴とする遊技機における球受皿の接合構造。
【発明の詳細な説明】
【０００１】
【発明の属する技術分野】
本発明は、遊技機の技術分野に属し、詳しくは遊技機における球受皿の接合構造に関する。
【０００２】
【従来の技術】
パチンコ機やスロットマシン等の遊技機において多くのプラスチック製の部材が使用されている。最近では、かつては合板製であった外枠等の躯体部品までもプラスチック製にしたものもある。
【０００３】
【発明が解決しようとする課題】
このような技術傾向によりプラスチック製の板状部材を他の部材（取付部材）に対面させた姿勢で両部材を接合させることが行われている。例えば下の球受皿を中枠に取り付ける際には、球受皿の背面板（皿部分を背後で支持している板状部材）と中枠との接合が必要で、従来はビスやボルト等を用いて背面板を中枠に固定していた。したがって、組み立て時にはネジ締め作業が必要であり、例えばリサイクルのための解体時にはビス等をプラスチック製部材から分離する必要があった。
【０００４】
本発明は、遊技機におけるプラスチック製の板状部材の接合構造において、組立作業を簡単にし、またリサイクルに際しての分別等も容易にすることを目的としている。
【０００５】
【課題を解決するための手段及び発明の効果】
本発明の遊技機における球受皿の接合構造（以下、単に「接合構造」ともいう。）の基本的な構成は請求項１に記載の通りである。
この接合構造は、遊技機の組立に関連して中枠のプラスチック製の下辺部材の取付面に、球受皿のプラスチック製の背面板である皿支持板（１１０）を、皿支持板（１１０）の背面側が取付面に接触する姿勢で接合させる際の球受皿の接合構造であって、前記皿支持板（１１０）の背面に固着された係止体と、前記下辺部材の取付面に設けられた受穴及び軸穴と、前記皿支持板（１１０）及び前記下辺部材とは別体のロックピースとから構成されている。
【０００６】
皿支持板（１１０）は当然ながらプラスチック製であるが、ロックピースはプラスチック製でなくても、例えば金属製でもかまわない。
係止体は皿支持板（１１０）に固着（一体化）されるし、またその形状から射出成形での製造が適しているので、皿支持板（１１０）と同材質として一体成形するのが望ましい。
【０００７】
また、ロックピースも、その形状から射出成形での製造が適しているので、プラスチック製として射出成形するのが望ましい。
係止体は、互いに平行である２つの摺動面を有し、それら摺動面を皿支持板（１１０）の背面に垂直となる方向に沿わせて配される係合板（１１３ｂ、１１４ｂ）を備えている。係合板（１１３ｂ、１１４ｂ）は２つの摺動面が平面であればよく、他の面例えば摺動面同士をつなぐ面は曲面であってもよい。
【０００８】
また係止体は、皿支持板（１１０）の背面に平行な方向に沿って各摺動面から張り出して係合板（１１３ｂ、１１４ｂ）に連設された係止板（１１３ａ、１１４ａ）を備えている。この係止板（１１３ａ、１１４ａ）は、係合板（１１３ｂ、１１４ｂ）の例えば先端（皿支持板（１１０）から離れた端）に連設され、係合板（１１３ｂ、１１４ｂ）と一体化される。
係止体は、例えば係合板（１１３ｂ、１１４ｂ）の基部において皿支持板（１１０）に固着される。
【０００９】
下辺部材に設けられる受穴は、係止板（１１３ａ、１１４ａ）を通過させる長方形部分（５６ａ）及び摺動面を摺動させる幅で長方形部分（５６ａ）と連通している溝部（５６ｂ）とからなる凸字形状である。なお、凸字の頭部に相当する溝部（５６ｂ）は、摺動面を摺動させるための２平面を対面で備える必要がある。この受穴は、その用途（機能）上、取付面から背後に貫通して設けられる必要がある。
【００１０】
下辺部材には、また軸穴が設けられる。この軸穴は、軸受孔（５７ａ）と、軸受孔（５７ａ）の径方向に沿って軸受孔（５７ａ）に連設された突起通過部（５７ｂ）とからなっている。軸受孔（５７ａ）は、その機能から円形とされるが、突起通過部（５７ｂ）との連設によって一部欠落する部分ができる。突起通過部（５７ｂ）は、２つを互いに１８０度の角度で配置するのが最良であるが、１つ或いは３つ以上とすることも可能である。
【００１１】
ロックピースの回動軸（１１８ａ）は軸受孔（５７ａ）に整合する寸法（軸受孔（５７ａ）内で摺動回転する寸法）とされる。
抜止突起（１１８ｂ）は、突起通過部（５７ｂ）に対応して例えば２つを互いに１８０度の角度で配置されるが、その寸法は突起通過部（５７ｂ）を通過できる寸法であればよい。
ロック部（１１８ｃ）は、回動軸（１１８ａ）を中心として互いに反対方向に延出された一対の腕部を含んで構成されて、軸穴の長さに相当する間隔を抜止突起（１１８ｂ）との間において回動軸（１１８ａ）の基部に連設される。なお、腕部を複数対（例えば二対）とすることも可能である。
【００１２】
係止体と受穴とは、係止板（１１３ａ、１１４ａ）を取付面側から長方形部分（５６ａ）に挿通させて受穴の背後に至らせてから、皿支持板（１１０）を取付面に沿って移動させると係合板（１１３ｂ、１１４ｂ）が摺動面を溝部（５６ｂ）の内面に摺動させながら嵌合し、係止板（１１３ａ、１１４ａ）が下辺部材の背面に摺接し、この状態では皿支持板（１１０）の背面側が取付面に接触する関係とされている。
【００１３】
そして、このように係合板（１１３ｂ、１１４ｂ）を溝部（５６ｂ）に嵌合させ、係止板（１１３ａ、１１４ａ）を下辺部材の背面に摺接させれば、皿支持板（１１０）を下辺部材から引き離す方向への移動は係止板（１１３ａ、１１４ａ）によって阻まれる。また、摺動面が溝部（５６ｂ）の内面に摺接しているので、摺動面と交差する方向への皿支持板（１１０）の移動も阻止される。また、この係止板（１１３ａ、１１４ａ）を下辺部材の背面に摺接させた状態では皿支持板（１１０）の背面側が取付面に接触するので、皿支持板（１１０）を下辺部材に向かわせる移動も阻止される。すなわち、係合板（１１３ｂ、１１４ｂ）と溝部（５６ｂ）との嵌合を解除する方向への移動のみ可能で、他の各方向への移動は不可能となる。
【００１４】
ロックピースの寸法等は、軸穴の突起通過部（５７ｂ）に抜止突起（１１８ｂ）を合わせて下辺部材側から皿支持板（１１０）側に向けて回動軸（１１８ａ）を挿入すると、抜止突起（１１８ｂ）が取付面側に達した際にロック部（１１８ｃ）が下辺部材に接触し、ロック部（１１８ｃ）が下辺部材に接触した状態でロック部（１１８ｃ）を回動すると抜止突起（１１８ｂ）が取付面を摺動し、該ロック部（１１８ｃ）の回動位置を選択するといずれかの腕部の端面がいずれかの係止体に当接して、係止体の係合板（１１３ｂ、１１４ｂ）と溝部（５６ｂ）との嵌合の解除を阻止し、ロック部（１１８ｃ）をそのような回動位置にしたときには抜止突起（１１８ｂ）の回動位置が突起通過部（５７ｂ）から外れた位置になる、設定とされている。
【００１５】
つまり、ロックピースのロック部（１１８ｃ）が下辺部材に接触するまで回動軸１１８ａ）を軸穴に挿入すると、抜止突起（１１８ｂ）が取付面すれすれに突出し、そのままロック部（１１８ｃ）を回動すると抜止突起（１１８ｂ）が取付面を摺動する。このロック部（１１８ｃ）の回動位置を選択（調節）することで、いずれかの腕部の端面がいずれかの係止体に当接して、係止体の係合板（１１３ｂ、１１４ｂ）と溝部（５６ｂ）との嵌合の解除を阻止する状態にできる。これにより、皿支持板（１１０）を下辺部材に対して相対移動することは不可能になり、皿支持板（１１０）は下辺部材に完全に接合される。また、ロック部（１１８ｃ）を腕部の端面が係止体に当接する回動位置にしたときには抜止突起（１１８ｂ）の回動位置が突起通過部（５７ｂ）から外れた位置になるので、ロックピースを抜去することもできない。
【００１６】
皿支持板（１１０）を下辺部材から分離するには、ロックピースを回して抜止突起（１１８ｂ）が突起通過部（５７ｂ）に対応する回動位置にして回動軸（つまりロックピース）を軸穴から抜き取り、皿支持板（１１０）を平行移動させて係合板（１１３ｂ、１１４ｂ）と溝部（５６ｂ）との嵌合を解除し、また係止板（１１３ａ、１１４ａ）を長方形部分（５６ａ）に対応させる。
そして、皿支持板（１１０）を下辺部材から引き離す方向に移動させれば、係止板（１１３ａ、１１４ａ）が長方形部分（５６ａ）を通って抜けて、皿支持板（１１０）が下辺部材から分離される。
【００１７】
このようなに、皿支持板（１１０）の接合作業は簡単であるから、遊技機の組立作業も簡素化される。また皿支持板（１１０）の分離作業も簡単である。そして、ロックピースをプラスチック製にすれば、リサイクルに際しての金属との分別は不要になる。またロックピースを金属製にした場合でも、その取り外し及び分別は簡単である。
【００２７】
球受皿には鋼製の遊技球が大量に蓄積されることがあり、これを支持する部分への荷重もきわめて大きくなる。したがって、従来のようにビスやボルトで中枠と連結する場合には、これらの本数を多くする必要があった。しかしながら、請求項１の構成を採用すれば、ビスやボルトなどは不要となる。また、板状部材である背面板と一体化している係止体を介して中枠に支持されるので、強度的にも優れている。
【００２８】
請求項１記載の発明では、中枠は、その上辺部分を構成する部材（上辺部材）、下辺部分を構成する部材（下辺部材）、正面から見て左側の縦辺部分を構成する部材（左縦辺部材）及び正面から見て右側の縦辺部分を構成する部材（右縦辺部材）の４分割構造で、前記上辺部材及び下辺部材はプラスチック製、前記左縦辺部材及び右縦辺部材は金属製とされ、前記４つの分割部分（上辺部材、下辺部材、左縦辺部材及び右縦辺部材）を相互に分離可能に連結する可逆的連結手段を備えており、前記下辺部材の取付面に、前記球受皿のプラスチック製の背面板である皿支持板（１１０）を、該皿支持板（１１０）の背面側が前記取付面に接触する姿勢で接合させる構成を採用している。
【００２９】
上辺部材及び下辺部材をプラスチック製としたので、これらの成形金型を小型化でき、成形時の歪み等も防止できる。また、下辺部材に賞球などの通路や通路用のリブ等を設けることができるから、樋などを別途プラスチック成形して組み合わせる必要がなくなるか、ごく少量にできる。
【００３０】
そして、左右の縦辺部材を金属製としているので、総プラスチック製としたときよりも縦辺部分の強度が向上する。また、金属部分を左右の縦辺部材に限っているので、重量の増加はわずかであり総プラスチック製としたときと比べても遜色ない。
【００３１】
しかも、左縦辺部材及び右縦辺部材を金属製としているので、上辺部材及び下辺部材と左右の縦辺部材とを分離するだけで金属とプラスチックとを分別できる。つまり、プラスチック（上辺部材及び下辺部材）と金属（左縦辺部材及び右縦辺部材）とを混用していても、リサイクルに際しての分別がきわめて簡単である。
【００３２】
この場合、請求項２記載のように、前記外枠に備えられたヒンジ軸と共同してヒンジを構成するヒンジ軸受または前記外枠に備えられたヒンジ軸受と共同してヒンジを構成するヒンジ軸を備えるヒンジ軸部を金属製として、該金属製のヒンジ軸受またはヒンジ軸部を前記左縦辺部材の一部となる一枚の縦板金の上端部及び下端部に固着或いは一連に設け、上の球受皿の開閉軸または該開閉軸の軸受及び透明板を保持して前記中枠の前記上の球受皿よりも上側部分を覆うガラス扉の開閉軸または該開閉軸の軸受をいずれも金属製として、前記縦板金に固着し、前記中枠を前記外枠に対して閉じた状態に維持する施錠状態と該中枠を開放可能とする開錠状態とに可変の中枠施錠機構及び前記ガラス扉を閉鎖状態に維持する施錠状態と該ガラス扉を開放可能とする開錠状態とに可変のガラス扉施錠機構をともに金属製として前記右縦辺部材に備えれば、中枠に装着される金属製品の殆どを左右の縦辺部材に集約できる。これにより、リサイクルに際してのプラスチックと金属の分別がきわめて容易になり、その分別効率もきわめて良好になる。
【００３３】
請求項３は遊技機を弾球遊技機に限定した例であり、請求項１又は２記載の遊技機における皿支持板の接合構造において、該遊技機は遊技盤を備える弾球遊技機であって、前記中枠は前記遊技盤を保持する部材である。パチンコ機などの弾球遊技機は他の遊技機（例えばスロットマシン）よりもプラスチック化が進行しているので、弾球遊技機に請求項１又は２記載の構成を適用することで、実用的な価値が高まる。
【００３４】
【発明の実施の形態】
次に、本発明の実施例により発明の実施の形態を説明する。
【００３５】
【実施例】
本実施例は、中枠１０に賞球の払出に関わる機構や基板ケースなどを組み付けて、パチンコ機の内部構造体３００とした例である。
初めに主に図１〜５を参照して中枠１０の構造を説明する。なお、図１は正面側から見た中枠の分解斜視図、図２は背面側から見た中枠の分解斜視図、図４は背面下方から見た中枠の分解斜視図、図７は中枠の正面図、図８は中枠の背面図である。
【００３６】
中枠１０は上辺部材３０、下辺部材５０、左縦辺部材７０及び右縦辺部材９０の４分割構造であり（図１、図２参照）、下辺部材５０には皿支持板１１０が取り付けられる。
上辺部材３０の周縁部３１は、水平方向の上縁部３２と左右の縦縁部３３、３４とからなるコの字状で、上縁部３２から右の縦縁部３４にかけては周縁部３１の表面に垂直方向の外周リブ３５が設けられている。周縁部３１の正面から見て左上の隅部は切欠状の上ヒンジ突出部３１ａとされており、縦縁部３３、３４の外辺には、それぞれ２箇所ずつの係合凹部３３ａ、３４ａが設けられている。
【００３７】
そして、周縁部３１の内側は後方に凹陥、突出した凹陥部３６となっている。
凹陥部３６の壁３７と周縁部３１とは直角に交わっているが、壁３７及び周縁部３１を切り欠いて、その分を背後に突出させた構造の連結凸部３８が左右に２箇所ずつ設けられている。連結凸部３８の上面には係合口３８ａが設けられている。なお、連結凸部３８は可逆的連結手段の一要素となる。また壁３７は遊技盤２００の左右方向の位置決め部材ともなる。
【００３８】
凹陥部３６の奥側の壁は上部部品取付部３９とされており、その背面にはタンクエリア４０、レールエリア４１及び端子板エリア４２が設けられている。タンクエリア４０からレールエリア４１にわたっては球タンク３０２が取り付けられる。本実施例の球タンク３０２は、図１０に示すとおり遊技球を貯留する球タンク本体３０３と球タンク本体３０３から流出した遊技球を整列させながら誘導するタンクレール３０４とを一体化した構造で、取付用突起を上部部品取付部３９の係合部４０ａに係合させることで取り付けられる。端子板エリア４２は、電源及び通信線を接続するための中継端子板３１０用の中継基板ケース３０９（図１０参照）用のエリアである。
【００３９】
また、凹陥部３６の縦縁部３３側の角には２箇所の係合穴３６ａが設けられ、縦縁部３４側には１箇所の係合穴３６ｂが設けられている。
下辺部材５０の下半部はほぼ平面状の下皿取付部５１で、その下辺から右辺にかけては下皿取付部５１の表面に垂直方向の外周リブ５２が設けられている。また、その正面からみて左下の隅部は切欠状の下ヒンジ突出部５１ａとされ、その上方には係合凹部５１ｂ及び係合穴５１ｃが設けられている。
【００４０】
下皿取付部５１の背面ほぼ中央には下皿用貫通樋５３が突出して設けられている。この下皿用貫通樋５３の後端部は上向きに開口していわゆるバケツ５３ａとなっており、下皿用貫通樋５３の上側にはファール球受入用のファール連通樋５４が連設されている。また、下皿用貫通樋５３の出口５３ｂは、下皿取付部５１の前面に開口している（図７参照）。
【００４１】
下皿用貫通樋５３の左右には、それぞれ４箇所ずつ合計８箇所の支持板係合穴５６が設けられている。支持板係合穴５６は凸字を横転させた形状で、相対的に大きい長方形部分５６ａと、これに連設されている溝状の溝部５６ｂとで構成されている（図３参照）。また、左側４箇所及び右側４箇所の支持板係合穴５６の内の１箇所にはロックピース取付穴５７が隣接して設けられている。
【００４２】
図３に拡大して示すように、ロックピース取付穴５７は、軸受５７ａと一対の突起通過部５７ｂとからなり、ロックピース１１８は回動軸１１８ａ、回動軸１１８ａの直径方向に沿って突出している一対の抜止突起１１８ｂ及び回動軸１１８ａを中心として互いに反対方向に延出された一対の腕部を備えて回動軸１１８ａの基部に連設されたロック部１１８ｃを備えている。
【００４３】
ロックピース取付穴５７の軸受５７ａはロックピース１１８の回動軸１１８ａを摺動させる寸法で、突起通過部５７ｂは、軸受５７ａに回動軸１１８ａを挿通させた際に抜止突起１１８ｂを通過させ得る位置及び寸法である。
下辺部材５０には皿支持板１１０が取り付けられるが、皿支持板１１０の中央部には下皿用貫通樋５３の出口５３ｂに対応する流入口１１２が設けられており、背面には（図４参照）支持板係合穴５６に対応する係合突起１１３、１１４が設けられている。
【００４４】
係合突起１１３は、支持板係合穴５６の長方形部分５６ａの内法に整合する寸法の係止板１１３ａと支持板係合穴５６の溝部５６ｂの幅に整合する板厚の係合板１１３ｂ、係止板１１３ａ及び係合板１１３ｂに直交する背板１１３ｃを有しており、係合板１１３ｂ及び背板１１３ｃがともに皿支持板１１０の背面リブ１１５と一連になっている。
【００４５】
係合突起１１４は、係合突起１１３の係止板１１３ａと同様の係止板１１４ａ及び係合板１１３ｂと同様の係合板１１４ｂを有し、更に係止板１１４ａを超えて延出した背板１１４ｃ及び係止板１１４ａと背板１１４ｃ間に配された補助リブ１１４ｄを備えており、同様に背面リブ１１５と一連になっている。なお、係止板１１４ａと背板１１４ｃを係止板１１４ａの面に沿って切断した断面が長方形分部５６ａの内法に整合している。
【００４６】
また、皿支持板１１０には下ヒンジ突出部５１ａに対応して、下ヒンジ回避部１１６が設けられている。
皿支持板１１０は前面に下の球受皿４００（図７参照）が取り付けられて下皿ユニットとされ、そのユニット状態で下辺部材５０に装着される。また、下皿ユニットには、最終的に発射ハンドル４０２も装着される。下皿ユニットの装着は支持板係合穴５６と係合突起１１３、１１４とを用いて行われる。具体的には、まず係合突起１１４をロックピース取付穴５７が隣接している支持板係合穴５６に、係合突起１１３を他の支持板係合穴５６に対応させて、それぞれの係止板１１３ａ、１１４ａを対応する長方形部分５６ａに挿通させて下辺部材５０の背後に至らせる（図５（ａ））。
【００４７】
係合板１１３ｂ、１１４ｂの長さ、すなわち係止板１１３ａ、１１４ａと皿支持板１１０の背面との距離は下辺部材５０の支持板係合穴５６の周囲の板厚をわずかに上回る設定であるので、係止板１１３ａ、１１４ａが下辺部材５０の背後に至った際には皿支持板１１０の背面リブ１１５が下辺部材５０の前面に密接する。
【００４８】
次に皿支持板１１０を下辺部材５０に沿って平行移動させると、係合板１１３ｂ、１１４ｂが溝部５６ｂの内面を摺動しながら溝部５６ｂに嵌合する。また、背板１１３ｃ、１１４ｃが長方形部分５６ａにとどまって、係合板１１３ｂ、１１４ｂの溝部５６ｂへの進入量を規定する。この状態になると係止板１１３ａ、１１４ａが溝部５６ｂの周辺部分に摺接するので、このままなら皿支持板１１０を下辺部材５０から引き剥がせない。
【００４９】
続いて、抜止突起１１８ｂを突起通過部５７ｂに合わせて、ロックピース１１８の回動軸１１８ａをロックピース取付穴５７に挿し込み、抜止突起１１８ｂを下辺部材５０の前面側に至らせる（図６（ａ）参照）。抜止突起１１８ｂとロック部１１８ｃとの距離は下辺部材５０のロックピース取付穴５７の周囲の板厚をわずかに上回る設定であるので、このように抜止突起１１８ｂが下辺部材５０の前面側に至った際には、抜止突起１１８ｂが下辺部材５０の前面に接してロック部１１８ｃが下辺部材５０の背面に接する。
【００５０】
そして、ロック部１１８ｃをつまみにしてロックピース１１８を図６における時計回り方向へ９０度回すと、ロック部１１８ｃの端面が係合突起１１４の背板１１４ｃに当接して押圧する（図５（ｂ）、図６（ｂ）参照）。これにより、係合板１１３ｂ、１１４ｂを溝部５６ｂから離脱させる方向への係合突起１１３、１１４（皿支持板１１０）の移動が阻まれる。
【００５１】
なお、図６に拡大して示すように、下辺部材５０の背面にはロック部１１８ｃの長径に対応した円弧状のガイドリブ５０ｃが設けられており、上記の回転操作時にはロック部１１８ｃの端面はガイドリブ５０ｃの内面を摺動する。そして、９０度回ったときにはガイドリブ５０ｃと一連のストッパリブ５０ｄによって回転を阻まれる。したがって、ロック部１１８ｃを回し過ぎるおそれはない。また、ロック部１１８ｃの一端面が係合突起１１４の背板１１４ｃに当接したときにも他端はガイドリブ５０ｃの内面に当接しているので、ロック部１１８ｃが係合突起１１４の背板１１４ｃに及ぼす押圧力は緩まない。
【００５２】
ここで下辺部材５０の説明に戻る。
背面側で下皿用貫通樋５３に連接されているファール連通樋５４は下辺部材５０の前面に達しており、下皿取付部５１の上方に凹陥状に設けられた盤支持部５８の中央下部にて前方に開口している。また、ファール連通樋５４内には横断リブ５４ａが配されている。盤支持部５８の前面側には長リブ５９ａと短リブ５９ｂとでファール球誘導路５９が形成されており、その下流端がファール連通樋５４に連通している。これら長リブ５９ａ、短リブ５９ｂ及びファール連通樋５４にてファール回収路が構成されている。
【００５３】
短リブ５９ｂの上方部分は発射ユニットを装着するための領域で、発射ベース１２０（図９参照）に発射レール、発射ハンマー及び発射モータ（いずれも図示せず）を組み付けた発射ユニットが装着される。
また、長リブ５９ａの上方では、盤支持部５８が上側に延出されていて、この部分に上皿用貫通樋６１が開口している。
【００５４】
このため、盤支持部５８の上端は左右が高くその間が低い状態の段差状となっている。この段差状の上端面６２は遊技盤２００支承するための面となっている。また、上端面６２の手前側には、遊技盤２００の前方向の位置決め部材となる盤面受６３ａが配置され、背後側には遊技盤２００の後方向の位置決め部材となる背面受６３ｂが配置されている。
【００５５】
盤支持部５８の左右は下皿取付部５１に連設状態の縦縁部６５、６６で、それぞれの横壁６５ａ、６６ａに連結凸部３８及び係合口３８ａと同様の連結凸部６７及び係合口６７ａが２箇所ずつ設けられている。連結凸部６７は、連結凸部３８と同様、可逆的連結手段の構成要素である。また、縦縁部６６には係合凹部６６ｂが設けられている。なお、長リブ５９ａは縦縁部６５に達していて、ファール球のみならず上皿用貫通樋６１等からのこぼれ球も回収可能である。
【００５６】
ファール球及びこぼれ球は、例えば長リブ５９ａ上を転動してファール連通樋５４に流入し、横断リブ５４ａ上から下皿用貫通樋５３に落下して下の球受皿に流入する。
盤支持部５８には、上述のロックピース取付穴５７と同様のロックピース取付穴６８が２箇所に設けられている。これらロックピース取付穴６８は、長リブ５９ａ及び短リブ５９ｂの前面側を覆ってファール回収路を完成させる、ファールカバー１２２（図９、図１２参照）の取り付け用である。
【００５７】
ファールカバー１２２にはこぼれ球受１２３が備わっている。こぼれ球受１２３はファールカバー１２２を盤支持部５８に固定した際に上皿用貫通樋６１の下方に位置し、上皿用貫通樋６１等からのこぼれ球をファール回収路に誘導する。
ファールカバー１２２は長リブ５９ａ及び短リブ５９ｂに当接状態とされてから、ロックピース１１８によって盤支持部５８に固定される。この際、ロックピース１１８は、抜止突起１１８ｂとロック部１１８ｃとで盤支持部５８及びファールカバー１２２を挟持する。このロックピース１１８の作用は皿支持板１１０のときとは異なっている。
【００５８】
左縦辺部材７０は板金本体７１、ヒンジ軸部に該当する上ヒンジ軸パーツ７２、ヒンジ軸受に該当する下ヒンジ軸受パーツ７３、皿扉軸受パーツ７４、可逆的連結手段の金属部分であり閂部材となる上下のロック金具７５、７６等にて構成されている。
【００５９】
板金本体７１は、面を前後方向に沿わせる外周リブ７７、外周リブ７７に垂直なヒンジ保持板部７８、ヒンジ保持板部７８に垂直な横当接板部７９、横当接板部７９に垂直な後当接板部８０等からなり、全体として階段状である。なお、板金本体７１の階段形状は、上辺部材３０のの左の縦縁部３３から凹陥部３６にかけての背面形状に整合し、また下辺部材５０の下皿取付部５１、縦縁部６５及び盤支持部５８にかけての背面形状に整合する。ヒンジ保持板部７８は縦板金に該当する。
【００６０】
ヒンジ保持板部７８の上部には係合凹部３３ａに整合する寸法の係合片７８ａが打ち抜きにて突出形成されており、下部にても係合凹部５１ｂに整合する寸法の係合片（図示されない）が同様に突出形成されている。
ヒンジ保持板部７８から横当接板部７９にかけて、連結凸部３８を緩みなく貫通させる寸法の連結穴８２と連結凸部６７を緩みなく貫通させる寸法の連結穴８３が設けられている。また、横当接板部７９の上部からは、係合穴３６ａに嵌合する寸法の係合片７９ａが後当接板部８０と同方向に延出されている。
【００６１】
上ヒンジ軸パーツ７２は、上ヒンジ軸７２ａや半円状のヒンジガード７２ｂ等を備えており、連結部７２ｃにてヒンジ保持板部７８の上端部にリベット止め（またはスポット溶接）されている。
下ヒンジ軸受パーツ７３は軸受穴７３ａや係合穴５１ｃに嵌合する寸法の係合片７３ｂ等を備え、上ヒンジ軸パーツ７２と同様にヒンジ保持板部７８の下端部に固着されている。
【００６２】
皿扉軸受パーツ７４は、上下で対となる軸受穴７４ａ、７４ｂを備え、連結部７４ｃにてヒンジ保持板部７８の前面にリベット止め（またはスポット溶接）されている。また、連結部７４ｃからは段差状の当接片７４ｄが延出されている。なお、軸受穴７４ａはガラス枠の開閉軸の軸受に該当し、軸受穴７４ｂは上の球受皿の開閉軸の軸受に該当する。
【００６３】
上下のロック金具７５、７６は同形状で、それぞれ一対のロック片７５ａ、７６ａ、長穴７５ｂ、７６ｂ、引上片７５ｃ、７６ｃ等を備えている。
ロック金具７５、７６は長穴７５ｂ、７６ｂを貫通して横当接板部７９に立設された摺動軸ピン（図示略）を介して横当接板部７９に取り付けられており、長穴７５ｂ、７６ｂの範囲で昇降できる。
【００６４】
ただし、常時は横当接板部７９との間に掛け渡された引っ張りバネ８４（ロック金具７６用は図示略）によって下向きに引っ張られて下降している。その下降時にはロック片７５ａ、７６ａが連結穴８２、８３を塞ぐ位置にあるが、例えば引上片７５ｃ、７６ｃに力を掛けて引き上げることで連結穴８２、８３を全開にできる。
【００６５】
連結穴８２、８３を全開にすれば、これらに連結凸部３８及び連結凸部６７を緩みなく挿通でき、その際に係合口３８ａ、６７ａの一部は連結穴８２、８３から突出した位置になる。ロック片７５ａ、７６ａは、この係合口３８ａ、６７ａの突出部分に緩みなくはまり込む寸法とされている。
【００６６】
右縦辺部材９０は、中枠１０の構造部材となる板金本体９１、施錠機構９２、閂部材に該当する上下のロック金具９３、９４等にて構成されている。
板金本体９１は、面を前後方向に沿わせる外周リブ９５、外周リブ９５に垂直な施錠機構保持板部９６、施錠機構保持板部９６に垂直な横当接板部９７、横当接板部９７に垂直な後当接板部９８等からなり、全体として階段状である。
なお、板金本体９１の階段形状は、上辺部材３０のの左の縦縁部３４から凹陥部３６にかけての背面形状に整合し、また下辺部材５０の縦縁部６６から盤支持部５８にかけての背面形状に整合する。
【００６７】
施錠機構保持板部９６には、施錠機構９２のための穴９６ａ、９６ｂ、９６ｃが設けられ、また上部には係合凹部３４ａに整合する寸法の係合片９６ｄが打ち抜きにて突出形成されており、下部にても係合凹部６６ｂに整合する寸法の係合片９６ｅが同様に突出形成されている。
【００６８】
施錠機構保持板部９６から横当接板部９７にかけて、連結凸部３８を緩みなく貫通させる寸法の連結穴９９と連結凸部６７を緩みなく貫通させる寸法の連結穴１００が設けられている。また、横当接板部９７の上部からは、係合穴３６ｂに嵌合する寸法の係合片９７ａが後当接板部９８と同方向に延出されている。
【００６９】
ロック金具９３、９４は、左縦辺部材７０のロック金具７５、７６と同構造（ただし鏡像）で、ロック金具７５、７６と同様に、それぞれ一対のロック片９３ａ、９４ａ、長穴９３ｂ、９４ｂ、引上片９３ｃ、９４ｃ等を備え、それぞれ長穴９３ｂ、９４ｂを貫通して横当接板部９７に立設された摺動軸ピン（図示略）を介して横当接板部９７に取り付けられており、長穴９３ｂ、９４ｂの範囲で昇降できる。
【００７０】
また、常時は横当接板部９７との間に掛け渡された引っ張りバネ（図示略）によって下向きに引っ張られて下降している。その下降時にはロック片９３ａ、９４ａが連結穴９９、１００を塞ぐ位置にあるが、例えば引上片９３ｃ、９３ｃに力を掛けて引き上げることで連結穴９９、１００を全開にできる。
【００７１】
連結穴９９、１００を全開にすれば、これらに連結凸部３８及び連結凸部６７を緩みなく挿通でき、その際に係合口３８ａ、６７ａの一部は連結穴９９、１００から突出した位置になる。ロック片９３ａ、９４ａは、この係合口３８ａ、６７ａの突出部分に緩みなくはまり込む寸法とされている。
【００７２】
施錠機構９２は中枠施錠機構に該当し、遊技盤２００の前面側を覆うためのガラス板を保持するガラス枠（図示は省略）を中枠１０に対して閉じた状態で施錠するガラス枠施錠機構も兼ねている。
施錠機構９２の構造は公知のものと大差はなく、中枠１０を外枠に施錠するための中枠施錠部１０３、ガラス枠を中枠１０に施錠するためのガラス枠施錠部１０４、これらを解錠操作するための操作部１０５から構成されている。
【００７３】
中枠施錠部１０３は、昇降板１０７、昇降板１０７の上下端部に連結された施錠フック１０８、昇降板１０７を下降側に付勢するバネ（図示略）等から構成され、施錠フック１０８を外枠の金具（図示せず）に係止させることで中枠１０を施錠する。
【００７４】
ガラス枠施錠部１０４は、昇降板１３０、昇降板１３０の上下端部に連結された施錠フック１３２、昇降板１３０を上昇側に付勢するバネ（図示略）等から構成されており、昇降板１３０には押下レバー１３０ａが設けられ、施錠フック１３２は施錠機構保持板部９６の穴９６ｂを貫通して前面側に突出している。ガラス枠施錠部１０４は、施錠フック１３２をガラス枠の金具（図示せず）に係止させることでガラス枠を施錠する。
【００７５】
操作部１０５は、鍵穴（図示略）に差し込まれた鍵（図示せず）によって操作され、鍵を回すと穴９６ａを貫通している回動金具１０６が同方向に回る。
鍵を（操作者から見て）時計回りに回動すれば、回動金具１０６が同方向に回って中枠施錠部１０３の昇降板１０７を上昇変位させる。これに伴って施錠フック１０８が解錠側に変位するので外枠の金具との係止が解除（中枠１０が解錠）される。
【００７６】
鍵を（操作者から見て）反時計回りに回動すれば、回動金具１０６が同方向に回ってガラス枠施錠部１０４の昇降板１３０を下降変位させる。これに伴って施錠フック１３２が解錠側に変位するのでガラス枠の金具との係止が解除（ガラス枠が解錠）される。なお、押下レバー１３０ａを押し下げても、同様にガラス枠を解錠できる。
【００７７】
以上が、中枠１０を構成する上辺部材３０、下辺部材５０、左縦辺部材７０及び右縦辺部材９０の構造説明である。
これらを互いに連結して中枠１０を組み立てる作業は、例えば次のように行われる。
【００７８】
まず、左縦辺部材７０のヒンジ保持板部７８の前面を上辺部材３０の縦縁部３３の背面に重ねるようにして、左縦辺部材７０と上辺部材３０とを相互接近させる。この際に引上片７５ｃを上げてロック金具７５を引き上げ状態としたまま両者を接触させることにより、連結凸部３８を連結穴８２にはめ込み、係合穴３６ａに係合片７９ａを嵌合させ、係合凹部３３ａに係合片７８ａを係合させる。そして、ロック金具７５を下降させて係合口３８ａにロック片７５ａをはまり込ませれば、ロック片７５ａが閂となって左縦辺部材７０と上辺部材３０とが連結される。
【００７９】
この状態では、縦縁部３３の横端面に外周リブ７７が密接、ヒンジ保持板部７８の前面が縦縁部３３の背面に密接、横当接板部７９が縦縁部３３に連接する壁３７の外面に密接する。
次に、左縦辺部材７０のヒンジ保持板部７８の前面を下辺部材５０の縦縁部６５の背面に重ねるようにして、左縦辺部材７０と下辺部材５０とを相互接近させる。この際に引上片７６ｃを上げてロック金具７６を引き上げ状態としたまま両者を接触させることにより、連結凸部６７を連結穴８３にはめ込み、係合穴５１ｃに係合片７３ｂを嵌合させ、縦縁部６５の縁を当接片７４ｄとヒンジ保持板部７８とで挟み込ませる。そして、ロック金具７６を下降させて係合口６７ａにロック片７６ａをはまり込ませれば、ロック片７６ａが閂となって左縦辺部材７０と下辺部材５０とが連結される。
【００８０】
この状態では、下皿取付部５１の横端面に外周リブ７７が密接、ヒンジ保持板部７８の前面が下皿取付部５１の背面に密接、横当接板部７９が縦縁部６５の横壁６５ａに密接、後当接板部８０が盤支持部５８の当接部５８ａに密接する。また、後当接板部８０の上端は凹陥部３６の下端面に接触状態となる。
【００８１】
次に、右縦辺部材９０と上辺部材３０及び下辺部材５０とを連結する。その手順は左縦辺部材７０の場合とほぼ同様で、施錠機構保持板部９６の前面を上辺部材３０の縦縁部３４の背面に重ねるようにして、右縦辺部材９０と上辺部材３０とを相互接近させる。
【００８２】
この際に引上片９３ｃを上げてロック金具９３を引き上げ状態としたまま両者を接触させることにより、連結凸部３８を連結穴９９にはめ込み、係合穴３６ｂに係合片９７ａを嵌合させる。そして、ロック金具９３を下降させて係合口３８ａにロック片９３ａをはまり込ませれば、ロック片９３ａが閂となって右縦辺部材９０と上辺部材３０とが連結される。
【００８３】
この状態では、縦縁部３４の横端面に外周リブ９５が密接、施錠機構保持板部９６の前面が縦縁部３４の背面に密接、横当接板部９７が縦縁部３４に連接する壁３７の外面に密接する。また、外周リブ９５の上端は外周リブ３５の下端に接触状態となり、後当接板部９８の上端は凹陥部３６の下端面に接触状態となる。
【００８４】
次に、施錠機構保持板部９６の前面を縦縁部６６の背面に重ねるようにして、右縦辺部材９０と下辺部材５０とを相互接近させる。
この際に引上片９４ｃを上げてロック金具９４を引き上げ状態としたまま両者を接触させることにより、連結凸部６７を連結穴１００にはめ込み、係合凹部６６ｂに係合片９６ｅを係合させる。そして、ロック金具９４を下降させて連結凸部６７の係合口にロック片９４ａをはまり込ませれば、ロック片９４ａが閂となって右縦辺部材９０と下辺部材５０とが連結される。
【００８５】
この状態では、縦縁部６６の横端面に外周リブ９５が密接、施錠機構保持板部９６の前面が縦縁部６６の背面に密接、横当接板部９７が縦縁部６６の横壁６６ａに密接、後当接板部９８が盤支持部５８の当接部５８ｂに密接する。また、外周リブ９５の下端は外周リブ５２の上端に接触状態となる。
【００８６】
このようにして上辺部材３０、下辺部材５０、左縦辺部材７０及び右縦辺部材９０を互いに連結することで中枠１０が組み立てられる（図４、図７、図８参照）。なお、上記の作業手順は一例であり、右縦辺部材９０と上辺部材３０及び下辺部材５０との連結を先行するなど、適宜に順序を変更しても構わない。
【００８７】
そして、この中枠１０には、賞球の払出に関わる機構（貸球の払出を兼ねることがある）や基板ケースなどが組み付けられ、図９〜１２に示す内部構造体３００とされる（皿支持板１１０に取り付けられた下の球受皿の図示は省略）。
この内部構造体３００を上ヒンジ軸パーツ７２及び下ヒンジ軸受パーツ７３にて外枠に組み付け、上ヒンジ軸パーツ７２と皿扉軸受パーツ７４の上の軸受穴７４ａを用いてガラス枠を取り付け、軸受穴７４ａを貫通したガラス枠のヒンジ軸と皿扉軸受パーツ７４の下の軸受穴７４ｂとを用いて上の球受皿を取り付ける。
【００８８】
なお、内部構造体３００には遊技盤２００も取り付けられるが、遊技盤２００はいわゆる面替え等で交換されるので、内部構造体３００とは別の構成単位である。遊技盤２００の構造は公知のものと同様であり、ガイドレール２０１ａ、２０１ｂ、２０１ｃやアウト穴２０２等が設けられており、図示省略する入賞装置や表示装置等が組み付けられる。
【００８９】
内部構造体３００とするために中枠１０に取り付けられるのは、球タンク３０２、球タンク３０２から流出してくる遊技球を賞球（または貸球）として球受皿に導く樋構造などを含んだ裏セット３０５、メイン制御基板用のメイン基板ケース３０６、払出制御基板やランプ制御基板などのサブ制御基板用のサブ基板ケース３０７、３０８等である。なお中継基板ケース３０９は裏セット３０５の一部となっている。
【００９０】
裏セット３０５は、図１３〜１７に示すようにベース体３０５ａとカバー体３０５ｂ等との２層構造で全体としてＬ字状であり、中継基板ケース３０９はその最上部に配置されている。
中継基板ケース３０９は、カバー３０９ａと基板保持部３０９ｂとからなり、基板保持部３０９ｂに中継端子板３１０を固定して、これをカバー３０９ａで覆う構造である。そして、基板保持部３０９ｂの背面から突出している突起３０９ｃを裏セット３０５のケース支持部３１１に設けられた係合穴３１１ａに係合させることで、裏セット３０５に組み付けられる。
【００９１】
ケース支持部３１１の下方には、タンクレール３０４から２列で流出してくる遊技球を１列に合流させる合流機構３１２が配置されている。合流機構３１２は、タンクレール３０４の先端から流出する遊技球を下向きに誘導する案内リブ３１３、その下側に回転自在に配された回転体３１４、回転体３１４の下方に設けられた合流通路３１５等で構成されている。
【００９２】
回転体３１４は、その軸を中心とする弦巻線に沿った稜と谷とを備えている。回転体３１４の長さは遊技球の直径の２倍をわずかに上回り、両端間での稜のねじれはほぼ１ピッチ分、谷は遊技球の外形に沿った円弧状で遊技球の一部（直径の１／４程度）を受容できる。
【００９３】
合流通路３１５は、互いに向かい合って後壁３１２ａに立設された合流リブ３１６、３１７とこれらの間に配された斜面３１８とからなる。
合流リブ３１６、３１７間の間隔は遊技球の直径をわずかに（例えば１ｍｍ程度）上回る。一方、合流リブ３１６、３１７間に形成された通路の深さ（回転体３１４の軸方向）は、斜面３１８によって下流側が狭められている。具体的には、斜面３１８の上端付近では遊技球の直径の２倍をわずかに上回るが、斜面３１８の下端では遊技球の直径をわずかに上回る寸法である。したがって、合流通路３１５の上端では遊技球が２個並ぶことができるが、下流部では２個は並べない。
【００９４】
合流リブ３１６は回転体３１４の側方を通って案内リブ３１３に対面する位置まで延びている。合流リブ３１７は回転体３１４の下方でとぎれており、案内リブ３１３と合流リブ３１７の間に回転体３１４が割り込んだ形になっている。そして、回転体３１４の谷底が合流リブ３１６に対面したときの両者の距離は、合流リブ３１６、３１７間の間隔とぼぼ等しい。
【００９５】
これら案内リブ３１３、回転体３１４、合流リブ３１６、３１７等を合流カバー３１９で覆うことで合流機構３１２が完成する。
この合流機構３１２は次のようにして遊技球を合流させる。
まず、タンクレール３０４から２列で流出してきた遊技球は、案内リブ３１３によって下向きに誘導されて回転体３１４に至る。すると遊技球は回転体３１４の谷に入って、その重量で回転体３１４を回して合流通路３１５に落下する。
【００９６】
ただし、回転体３１４の稜及び谷が上述のようにねじれているので、同じ谷に同時に２個の遊技球が進入することはなく、２列で流れてきた遊技球は１個ずつ順に回転体３１４を回転させては落下してゆく。そして、合流通路３１５を通る間に１列にされて、さらに下方へと落下する。
【００９７】
なお、この合流機構３１２は、特開２０００−２２５２５９号公報に記載の技術に従っており、詳細についてはこの公報を参照されたい。
合流通路３１５の下端部には通断部材３２０が装着される。通断部材３２０は、遊技球を１列で通過させる寸法の通過孔３２１、通過孔３２１が設けられている板部材であるストッパ３２６、通過孔３２１の前後両側に配された係合腕３２２、３２３及び左右の係合壁３２４、３２５等を備えている。
【００９８】
通断部材３２０は、係合腕３２３を後壁３１２ａの保持穴３２７に挿通させ、係合腕３２２を合流カバー３１９の保持穴３２８に挿通させることで、合流機構３１２に組み付けられる。係合腕３２３は後壁３１２ａの背面側に、係合腕３２２は合流カバー３１９の前面側にそれぞれ突出しており、通断部材３２０は保持穴３２７、３２８と係合腕３２３、３２２の相対位置の範囲で横（左右）に移動して通過位置と遮断位置とに変位可能である。しかし、後壁３１２ａと合流カバー３１９とによって前後方向への移動は規制される。
【００９９】
通断部材３２０を通過位置とした際には通過孔３２１が合流通路３１５の下端に対応して、合流通路３１５を通ってきた遊技球が通過孔３２１に流入し通過可能となる。また、通断部材３２０を遮断位置にした場合には、ストッパ３２６が合流通路３１５を横断する位置になるので合流通路３１５からの遊技球の落下が阻まれる。
【０１００】
通断部材３２０の下側には払出装置に該当する賞球ユニット３３０が配置される。賞球ユニット３３０の上端には通断部材３２０との係合部３３１が設けられ、その内側に遊技球の導入口３３２が開口している。
導入口３３２は導入樋部３３４に連通しており、導入口３３２から流入した遊技球は導入樋部３３４を経て下部の球切り部３３５へ導かれる。球切り部３３５には球切りモータ３３６が備わっており、球切りモータ３３６を稼動させることで導入樋部３３４から遊技球を導き入れて１個単位で排出できる。
【０１０１】
賞球ユニット３３０の背面３３０ａにはＬ字状の取付爪３３７が設けられており、ベース体３０５ａの賞球ユニット収容部３３８には取付爪３３７に対応する取付穴３３９が設けられている。
賞球ユニット３３０の賞球ユニット収容部３３８への取付は、取付爪３３７を賞球ユニット収容部３３８の奥壁３３８ａに係止させることで行われる。
【０１０２】
この際には、まず係合部３３１を通断部材３２０の係合壁３２４と係合壁３２５との間に挿し込んで係合状態にして、取付爪３３７を取付穴３３９に挿通させる。なお、係合部３３１と係合壁３２４及び係合壁３２５との係合は、係合壁３２４及び係合壁３２５の垂下舌部３２４ａ、３２５ａによるので、取付爪３３７を取付穴３３９に挿通させるための賞球ユニット３３０の移動には支障がない。
【０１０３】
そして、取付爪３３７を取付穴３３９に挿通させてから賞球ユニット３３０を横（図１６における右方向）に移動させることで、取付爪３３７を賞球ユニット収容部３３８の奥壁３３８ａに係止させる。このとき、通断部材３２０も賞球ユニット３３０と共に平行移動する。この際の通断部材３２０の移動は、遮断位置から通過位置への移動である。
【０１０４】
取付爪３３７による係止だけでは、賞球ユニット３３０が上記と逆方向に移動して脱落するおそれがあるので、それを防止するための移動規制部材３４０を備えている。
移動規制部材３４０には、昇降体３４１、これを昇降操作するための握り３４２、昇降体３４１の側面から延出された規制突起３４３、昇降体３４１の下端から延出された嵌合突起３４４等が設けられている。
【０１０５】
一方、ベース体３０５ａには、賞球ユニット収容部３３８に隣接して移動規制部材収容部３４５が設けられており、その側面３４５ａには規制突起３４３に対応する貫通穴３４６が設けられている。なお、裏セット３０５の外側の縦縁部にはカバー３０５ｃが装着され、移動規制部材収容部３４５の一部がカバー３０５ｃによって覆われているが、賞球ユニット３３０の取付け、取外しはカバー３０５ｃを外した状態で行われる。
【０１０６】
移動規制部材３４０は、規制突起３４３を貫通穴３４６に貫通させた状態で移動規制部材収容部３４５に収容されており、規制突起３４３と貫通穴３４６との相対位置の範囲で移動規制部材収容部３４５内にて昇降変位できる。
移動規制部材３４０を下降させた際には、貫通穴３４６から突出している規制突起３４３が移動規制部材収容部３４５の側面と賞球ユニット３３０の取付爪３３７との間に嵌入して取付爪３３７の移動を阻止する（図１１参照）。これにより、賞球ユニット３３０の取付時とは逆方向への移動、すなわち取付爪３３７による係止の解除が防止される。また、移動規制部材３４０は、嵌合突起３４４が移動規制部材収容部３４５の底の穴（図示されない）に嵌合し、規制突起３４３が貫通穴３４６に挿入されているので、ベース体３０５ａの開放側への移動を阻まれて移動規制部材収容部３４５内に保持される。
【０１０７】
この状態から上記とは逆に移動規制部材３４０を上昇させれば、規制突起３４３が移動規制部材収容部３４５の側面３４５ａと取付爪３３７との間から退去するので、賞球ユニット３３０を移動させて取付爪３３７による係止を解除することができる。取付爪３３７による係止を解除すれば、賞球ユニット３３０をベース体３０５ａから取り外すことができる。
【０１０８】
なお、この賞球ユニット３３０の取り外しに当たっては、係合部３３１が係合壁３２４と係合壁３２５との間を摺動して抜けるので、通断部材３２０は合流機構３１２の下端に装着されたままである。そして、このときの通断部材３２０の位置は、取付爪３３７による係止を解除するための賞球ユニット３３０の移動に伴って通過位置から遮断位置に変わっているので、合流通路３１５からの遊技球の落下が阻止される。
【０１０９】
このように、賞球ユニット３３０はベース体３０５ａ（裏セット３０５）に着脱自在であるので、例えば賞球ユニット３３０が故障した場合などには、これを取り外して修理したり簡単に正常なものと交換できる。
また、賞球ユニット３３０の取り外しに際して通断部材３２０が遮断位置にされるので、賞球ユニット３３０を取り外したときに合流通路３１５から遊技球が落下することはない。
【０１１０】
賞球ユニット３３０の下端には遊技球を排出するための出口が設けられており、ベース体３０５ａとカバー体３０５ｂとを接合することで形成された誘導経路に接続されている。図示は省略するが、賞球ユニット３３０の出口は賞球用（貸球用も兼ねる）の出口と球抜き用の出口との２つがあり、賞球ユニット３３０の下部にはいずれかの出口を択一的に選択する（切り替える）切替機構が設けられている。通常、切替機構は賞球用の出口を選択した状態にあるが、球抜き操作されると球抜き用の出口を選択した状態に切り替わる。
【０１１１】
賞球（または貸球）として排出される遊技球の誘導経路である賞球経路３５０（図１７参照）は、ベース体３０５ａに設けられた上リブ３５１、中リブ３５２、カバー体３０５ｂに設けられた膨出部３５３、膨出部３５３に収容される仕切部材３５４等から構成される。なお、図１７は、賞球経路３５０を明瞭に示すために、本来は隠れ線となる部分、例えば上リブ３５１や中リブ３５２等を実線で表示している。
【０１１２】
上リブ３５１と中リブ３５２とはほぼ並行しており、両者間に押設された上皿誘導板３５５及び天井板３５６にて連結されている。そして、上皿誘導板３５５上には上皿接続口３５７が開口している。上皿接続口３５７は上皿用貫通樋６１と接続される（図１２参照）。
【０１１３】
中リブ３５２はベース体３０５ａの下辺にまで達しているが、上リブ３５１はそこまで到達していない。ただし、ベース体３０５ａの下辺部には中リブ３５２と対面して開口リブ３５８が設けられており、中リブ３５２との間に下皿接続口３５９を形成している。下皿接続口３５９は下皿用貫通樋５３の後端（バケツ５３ａ部分）に接続されているので（図１１、図１２参照）、下皿接続口３５９から落下した遊技球は下皿用貫通樋５３から下の球受皿に流入する。
【０１１４】
そして、上リブ３５１と開口リブ３５８との空隙を遮断する姿勢で、満杯検出板３６１が懸架されている。満杯検出板３６１は上端部を支持する軸を中心として揺動可能で、通常は賞球経路３５０内に突出している。しかし、下の球受皿が満杯になって賞球経路３５０内にまで遊技球が蓄積されてくると、その遊技球によって押されて外側に変位して満杯スイッチ３６２を例えばオフからオンに変化させる。なお、満杯検出板３６１の変位は満杯スイッチ３６２によって規制されるので、この揺動時に遊技球が漏出することはない。
【０１１５】
中リブ３５２は天井板３５６の上側に屈曲しており、賞球ユニット３３０の球抜き用の出口から排出された遊技球がこの屈曲部３６３に落下する位置関係になっている。カバー体３０５ｂには、中リブ３５２とほぼ並行する外リブ３６４が設けられており（外リブ３６４の一部はカバー体３０５ｂの外壁でもある。）、両者間に球抜き時の遊技球の誘導経路である球抜経路３６５が形成されている。球抜経路３６５の下端は開放されて機外排出口３６７とされていて、球抜経路３６５を通ってきた遊技球はここから機外に排出される。
【０１１６】
また、ベース体３０５ａには、機外排出口３６７の上方で球抜経路３６５に連通する使用球排出口３６８が開口している。
膨出部３５３は上膨出部３６９と下膨出部３７１との上下２段に分かれており、上面には膨出部３５３からカバー体３０５ｂの本体部にわたる切欠状の排出球受入口３７２が設けられている。排出球受入口３７２は賞球ユニット３３０の下端が接続される位置にあり、一部（抜球受入口３７２ｂ）は球抜経路３６５の上端（入口部分）に整合して賞球ユニット３３０の球抜き用の出口から排出された遊技球を通過させる。一方、排出球受入口３７２の膨出部３５３に設けられた部分（賞球受入口３７２ａ）は、賞球ユニット３３０の賞球用の出口から排出された遊技球を流入させる。
【０１１７】
賞球ユニット３３０から排出された遊技球のすべてが排出球受入口３７２に流入するので、賞球（貸球）を球抜経路３６５に流入させないための手だてが必要になる。仕切部材３５４はそのための仕切手段である。
この仕切部材３５４は、それぞれが上膨出部３６９の左右の壁（内面形状）に整合する横壁３７３、３７４と仕切板３７５とからなり、上部には賞球受入口３７２ａに整合する開口３７６が設けられている。仕切部材３５４は上膨出部３６９に内嵌状態とされ、その際に仕切板３７５が賞球受入口３７２ａと抜球受入口３７２ｂとの境界となる。また、仕切板３７５は中リブ３５２の屈曲部３６３と上膨出部３６９との仕切ともなる。これにより、賞球ユニット３３０の賞球用の出口から排出された遊技球は賞球受入口３７２ａから上膨出部３６９に流入し、抜球受入口３７２ｂから球抜経路３６５に流入する。すなわち、賞球（貸球）が球抜経路３６５に流入することはないし、球抜き操作で排出された遊技球が上膨出部３６９（賞球経路３５０）に流入することもない。
【０１１８】
上膨出部３６９の下端部は、ベース体３０５ａ側に向う円弧状曲面の上皿案内面３７８となっており、賞球受入口３７２ａから落下してきた遊技球の進路を上皿誘導板３５５の上方に向けて変化させる。上皿誘導板３５５上に飛来した遊技球は、通常は上皿誘導板３５５から上皿接続口３５７を通過して上皿用貫通樋６１を経て上の球受皿に流入する。
【０１１９】
しかし、上の球受皿が遊技球で満杯状態となって上皿誘導板３５５上までもが遊技球で満たされ、上皿案内面３７８から上皿誘導板３５５に向かって飛び出した遊技球の進路が塞がれた状態になると、遊技球は上皿誘導板３５５から上皿接続口３５７へとは流れずに、上皿誘導板３５５と下膨出部３７１との間を通って中リブ３５２上に落下する。そして、中リブ３５２に沿って移動して下皿接続口３５９から流出する。
【０１２０】
賞球ユニット３３０から排出された遊技球の経路構成は以上の通りであるが、裏セット３０５にはゲームに使用された遊技球（使用球＝セーフ球及びアウト球）を機外に導くための経路も備わっている。
ベース体３０５ａには、使用球受入口となる傾斜口３８１が使用球排出口３６８の上方に設けられている。一方、カバー体３０５ｂには、傾斜口３８１に対応して切欠３８２が設けられている。そして、ベース体３０５ａには、傾斜口３８１から使用球排出口３６８にわたる範囲を覆う使用球誘導樋３８３が装着される。使用球誘導樋３８３の上端は開放されていて、傾斜口３８１と共同して使用球受入口となる。
【０１２１】
遊技盤２００の背面には背面カバー３８５が装着されている。入賞したセーフ球及びアウト穴２０２に流入したアウト球は、すべて遊技盤２００の背面側に放出されて背面カバー３８５によって集合、誘導されて使用球受入口から使用球誘導樋３８３に流入する。これら使用球は使用球排出口３６８から球抜経路３６５に流入して、機外排出口３６７から機外に排出される。
【０１２２】
ベース体３０５ａとカバー体３０５ｂとを接合させるための機構は、盤支持部５８とファールカバー１２２との接続と同様で、カバー体３０５ｂにはロックピース取付穴３８７が設けられ、ベース体３０５ａにはロックピース取付穴３８８が設けられている。ロックピース１１８をロックピース取付穴３８７から挿し込んでロックピース取付穴３８８を貫通させてから９０度回せば、ロックピース１１８は、抜止突起１１８ｂとロック部１１８ｃとでベース体３０５ａ及びカバー体３０５ｂを挟持して両者を接合させる。合流カバー３１９とベース体３０５ａとの接合も同様に行われる。
【０１２３】
裏セット３０５と中枠１０との接合も同様の装着構造による。すなわち、裏セット３０５には、ケース支持部３１１から延出された取付耳３１１ｂとカバー体３０５ｂの背面から見て左上隅に、ロックピース取付穴３８７と同様のロックピース取付穴３８９、３９１が設けられている。また、ベース体３０５ａにはロックピース取付穴３９１に対応してロックピース貫通穴３９２が設けられている。そして、中枠１０には、ロックピース取付穴３８９に対応してロックピース取付穴３９３が、ロックピース取付穴３９１に対応してロックピース取付穴３９４が設けられている。
【０１２４】
ベース体３０５ａ、カバー体３０５ｂ、合流カバー３１９等を組み立てた裏セット３０５を、ロックピース取付穴３８９を中枠１０のロックピース取付穴３９３に、ロックピース取付穴３９１をロックピース取付穴３９４に重ね合わせるようにして中枠１０との位置合わせする。そして、上述のベース体３０５ａとびカバー体３０５ｂ、ベース体３０５ａと合流カバー３１９との接合と同様に、ロックピース１１８を用いて裏セット３０５と中枠１０を接合する（裏セット３０５を中枠１０に取り付ける。）。
【０１２５】
また、ロックピース１１８を回動させて抜止突起１１８ｂを突起通過部に合わせてから引き抜けば、中枠１０から裏セット３０５を分離（取り外し）できる。
以上の通り、皿支持板１１０を下辺部材５０に装着する際には、まず係合突起１１４をロックピース取付穴５７が隣接している支持板係合穴５６に、係合突起１１３を他の支持板係合穴５６に対応させて、それぞれの係止板１１３ａ、１１４ａを対応する長方形部分５６ａに挿通させて下辺部材５０の背後に至らせ（図５（ａ））、次に皿支持板１１０を下辺部材５０に沿って平行移動させることで、係合板１１３ｂ、１１４ｂを溝部５６ｂに嵌合させてから、ロックピース１１８の回動軸１１８ａをロックピース取付穴５７に挿し込み、抜止突起１１８ｂを下辺部材５０の前面側に至らせて（図６（ａ）参照）、ロック部１１８ｃをつまみにしてロックピース１１８を図６における時計回り方向へ９０度回せば、ロック部１１８ｃの端面が係合突起１１４の背板１１４ｃに当接して押圧する（図５（ｂ）、図６（ｂ）参照）ので、係合板１１３ｂ、１１４ｂを溝部５６ｂから離脱させる方向への係合突起１１３、１１４（皿支持板１１０）の移動が阻まれて皿支持板１１０が下辺部材５０に装着される。
【０１２６】
つまり、皿支持板１１０と下辺部材５０の位置合わせをして皿支持板１１０を押し込んで係合突起１１３、１１４を各支持板係合穴５６に挿通させてから、皿支持板１１０を平行移動させて係合板１１３ｂ、１１４ｂを溝部５６ｂに嵌合させ、その後ロックピース１１８を装着して回動することでロックするだけでよいので、皿支持板１１０の取付はきわめて簡単である。また、取り外しは、ロックピース１１８によるロックを解除しロックピース１１８を抜き取ってから、上記とは逆に皿支持板１１０を移動させればよいので、取り外しも簡単である。
【０１２７】
本実施例の中枠１０は、上辺部材３０、下辺部材５０、左縦辺部材７０及び右縦辺部材９０の４分割構造とした上で、上辺部材３０及び下辺部材５０をプラスチック製にして、左縦辺部材７０及び右縦辺部材９０を金属製にしている。そして、左縦辺部材７０においてはヒンジ保持板部７８を含む板金本体７１を一枚の板金で形成し、右縦辺部材９０でも板金本体９１を一枚の板金で形成し、共にその上端から下端までの範囲で継ぎ目無しにしているので、その強度はきわめて大きい。
【０１２８】
したがって、全体をプラスチック製にした場合と比べれば縦辺部分の強度は格段に高まる。ただし、金属（板金）を縦辺部材７０、９０に限っているので、重量は全体をプラスチック製にしたときと比べてそん色がなく、全体を板金製にした場合よりも格段に軽量化できる。しかも、板金本体７１、９１に継ぎ目が無いので、例えば２枚の板金を連結してこれら相当の部材とする場合と比べれば、部品点数も加工工数も低減する。
【０１２９】
この実施例では、上ヒンジ軸パーツ７２及び下ヒンジ軸受７３を板金本体７１とは別途製造して板金本体７１に固着しているが、これらのＬ字状の板金の板厚を板金本体７１よりも厚くしている。つまり、上ヒンジ軸パーツ７２及び下ヒンジ軸受７３の板金部分の板厚は荷重に対応して厚くしているが、板金本体７１はそれよりも薄くすることができ、軽量化の点では優れている。
【０１３０】
また、上辺部材３０と下辺部材５０とを別々に成形するので、金型を小型化でき、成形時の歪み等も防止できる。
特に、下辺部材５０をプラスチック製としているので、下辺部材５０に賞球などの通路を設けることができ、樋などを別途プラスチック成形して組み合わせる必要がなくなるか、わずかな量で済む。
【０１３１】
しかも、上辺部材３０及び下辺部材５０と左縦辺部材７０及び右縦辺部材９０とを分離可能に連結する可逆的連結手段として連結凸部３８、６７及びロック金具７５、７６、９３、９４を備えたので、例えば左縦辺部材７０と上辺部材３０を連結するには、適宜に位置合わせして左縦辺部材７０と上辺部材３０とを相互接近させ、ロック金具７５を引き上げ状態として連結凸部３８を連結穴８２にはめ込んでから、ロック金具７５を下降させて係合口３８ａにロック片７５ａをはまり込ませれば、ロック片７５ａが閂となって左縦辺部材７０と上辺部材３０とが連結される。左縦辺部材７０と上辺部材３０との連結を解除するには、ロック金具７５を上昇させてロック片７５ａによる閂を外せばよい。左縦辺部材７０と下辺部材５０との連結及び解除、右縦辺部材９０と上辺部材３０並びに下辺部材５０との連結及び解除も同様に行える。
【０１３２】
このように、上辺部材３０及び下辺部材５０と左縦辺部材７０及び右縦辺部材９０の連結作業が容易であるから、中枠１０の組立に要する工数などはわずかで済む。また、これらの分離（連結解除）も容易であるから、プラスチック（上辺部材３０及び下辺部材５０）と金属（左縦辺部材７０及び右縦辺部材９０）とを混用していても、リサイクルに際しての分別はきわめて簡単である。
【０１３３】
左縦辺部材７０に上ヒンジ軸パーツ７２、下ヒンジ軸受パーツ７３及び皿扉軸受パーツ７４を備えて、外枠、ガラス枠及び上の球受皿と中枠１０とのヒンジ連結のための構成を左縦辺部材７０に集約しているので、中枠１０の枠構造を完成させてからこれらヒンジ連結のための構成の全部または一部を中枠１０に組み付けるよりは組立工数を少なくできる。また、実施例ではガラス枠の開閉軸が上の球受皿の開閉軸を兼ねており、このような場合には軸芯を正確にする必要があるが、そうした寸法関係も正確にできる。
【０１３４】
さらに、右縦辺部材９０には施錠機構９２を備えて、中枠１０を外枠に対して施錠する機構及びガラス枠を中枠１０に対して施錠する機構を集約している。つまり、ヒンジ連結のための金属製部品を左縦辺部材７０に集約し、施錠のための金属製部品を右縦辺部材９０に集約しているので、リサイクルに際しては、これらの金属製部品も左縦辺部材７０及び右縦辺部材９０と共にプラスチック材（上辺部材３０及び下辺部材５０）と分別されるしたがって、リサイクルに際しての分別はきわめて容易かつ簡単で、分別効率も良好になる。
【図面の簡単な説明】
【図１】  実施例の中枠の正面側分解斜視図。
【図２】  実施例の中枠の背面側分解斜視図。
【図３】  支持板係合穴、ロックピース取付穴、ロックピース及び係合突起を説明するための部分拡大図。
【図４】  実施例の中枠の背面側下方から見た分解斜視図。
【図５】  皿支持板の取付手順の説明図。
【図６】  皿支持板の取付手順中におけるロックピースの回動位置の説明図。
【図７】  実施例の中枠の正面図。
【図８】  実施例の中枠の背面図。
【図９】  実施例の中枠を組み込んだ内部構造体の正面側斜視図。
【図１０】  実施例の中枠を組み込んだ内部構造体の背面側斜視図。
【図１１】  実施例の中枠を組み込んだ内部構造体の背面図。
【図１２】  実施例の中枠を組み込んだ内部構造体の断面図であり、（ａ）は図１１のＢＢ断面図、（ｂ）は同ＡＡ断面図。
【図１３】  実施例の中枠と共に内部構造体を構成する裏セットの背面図であり、（ｂ）は（ａ）の円部分の拡大図。
【図１４】  実施例の中枠と共に内部構造体を構成する裏セットの説明図であり、（ａ）は側面図、（ｂ）は正面図。
【図１５】  実施例の中枠と共に内部構造体を構成する裏セットの正面側分解斜視図であり、（ｂ）は（ａ）の円部分の拡大図。
【図１６】  実施例の中枠と共に内部構造体を構成する裏セットの背面側分解斜視図。
【図１７】  実施例の中枠と共に内部構造体を構成する裏セットの賞球経路等の説明図。
【符号の説明】
１０    中枠（取付部材）
３０    上辺部材
３８    連結凸部（可逆的連結手段）
３８ａ  係合口
５０    下辺部材（取付部材）
５０ｃ  ガイドリブ（後押部材）
５０ｄ  ストッパリブ（ストッパ）
５１    下皿取付部（取付部材、取付面）
５６    支持板係合穴（受穴）
５６ａ  基部（挿通部）
５６ｂ  溝部（嵌合部）
５７    ロックピース取付穴（軸穴）
５７ａ  軸受（軸受孔）
５７ｂ  突起通過部（張出孔）
６７    連結凸部（可逆的連結手段）
６７ａ  係合口
７０    左縦辺部材
７１    板金本体（縦板金）
７２    上ヒンジ軸パーツ（ヒンジ軸部）
７３    下ヒンジ軸受パーツ（ヒンジ軸受）
７４    皿扉軸受パーツ（開閉軸の軸受）
７５    ロック金具（可逆的連結手段、その金属部分）
７５ａ  ロック片
７６    ロック金具（可逆的連結手段、その金属部分）
７６ａ  ロック片
７８    ヒンジ保持板部（縦板金）
８２    連結穴
８３    連結穴
９０    右縦辺部材
９１    板金本体
９２    施錠機構
９３    ロック金具（可逆的連結手段、その金属部分）
９３ａ  ロック片
９４    ロック金具（可逆的連結手段、その金属部分）
９４ａ  ロック片
９９    連結穴
１００  連結穴
１０３  中枠施錠部
１０４  ガラス枠施錠部
１０５  操作部
１１０  皿支持板（板状部材）
１１３、１１４  係合突起（係止体）
１１３ａ、１１４ａ      係止板（係止部）
１１３ｂ、１１４ｂ      係合板（嵌合柱）
１１３ｃ、１１４ｃ      背板
１１４ｄ        補助リブ
１１５  背面リブ
１１８  ロックピース
１１８ａ        回動軸
１１８ｂ        抜止突起（張出部）
１１８ｃ        ロック部（腕部、ロック部材）
２００  遊技盤
３００  内部構造体
４００  球受皿（下の球受皿）
【図１】
0004128769.tif 000002
【図２】
0004128769.tif 000003
【図３】
0004128769.tif 000004
【図４】
0004128769.tif 000005
【図５】
0004128769.tif 000006
【図６】
0004128769.tif 000007
【図７】
0004128769.tif 000008
【図８】
0004128769.tif 000009
【図９】
0004128769.tif 000010
【図１０】
0004128769.tif 000011
【図１１】
0004128769.tif 000012
【図１２】
0004128769.tif 000013
【図１３】
0004128769.tif 000014
【図１４】
0004128769.tif 000015
【図１５】
0004128769.tif 000016
【図１６】
0004128769.tif 000017
【図１７】
0004128769.tif 000018